(57)【要約】【課題】空気調和機のエアフィルターに付着した塵埃を、効率よく、確実に除去できる空気調和機の清掃装置及び、空気調和機を提供すること。【解決手段】吸込口２と吹出口３を結ぶ空気通路に、除塵用のエアフィルター５を配置してなるエアコンディショナーや送風機、加湿器、除湿機、換気扇、あるいは空気清浄機等の空気調和機において、前記エアフィルター５を清掃する清掃体７を具備してあるとともに、前記清掃体７を介して、前記エアフィルター５に振動を与える加振手段を備えることにより、振動による剥離と清掃体７による掻き出し効果が増加し、前記エアフィルター５に付着した塵埃を、効率よく、確実に除去できる。【選択図】      図１
2007163110.tif 000002
【特許請求の範囲】
【請求項１】
本体に設けられた吸込口と吹出口を結ぶ空気通路に、除塵用のエアフィルターを配置してなる空気調和機において、前記エアフィルターを清掃する清掃体を具備してあるとともに、前記清掃体を介して、前記エアフィルターに振動を与える加振手段を備えたことを特徴とする、空気調和機の清掃装置。
【請求項２】
清掃体は清掃片とロータを有する回転ロータで構成したことを特徴とする、請求項１記載の空気調和機の清掃装置。
【請求項３】
回転ロータの回転中心を偏芯させたことを特徴とした、請求項２記載の空気調和機の清掃装置。
【請求項４】
回転ロータの清掃片を邪魔体で撓ませてエアフィルターを叩くことを特徴とした、請求項２又は３記載の空気調和機の清掃装置。
【請求項５】
回転ロータは少なくとも一つ以上の叩き片を有することを特徴とした、請求項２〜４の何れかに記載の空気調和機の清掃装置。
【請求項６】
回転ロータの回転数の切替え手段を有することを特徴とした、請求項２〜５の何れかに記載の空気調和機の清掃装置。
【請求項７】
回転ロータの清掃片の先端部近傍に凹凸の加工を施したことを特徴とする、請求項２〜６の何れかに記載の空気調和機の清掃装置。
【請求項８】
回転ロータの回転を停止させた状態で、加振手段により前記回転ロータに振動を与えるとともに、清掃片を介して、エアフィルターへ加振させることを特徴とする、請求項２〜７の何れかに記載の空気調和機の清掃装置。
【請求項９】
回転ロータの回転を停止させた状態で、加振手段により前記回転ロータに振動を与えるとともに、清掃片を介して、エアフィルターへ垂直に加振させることを特徴とする、請求項２〜８の何れかに記載の空気調和機の清掃装置。
【請求項１０】
少なくとも１条以上の清掃片が、回転ロータの長手方向の軸の周りに、螺旋状に捩られて形成されたことを特徴とする、請求項２〜９の何れかに記載の空気調和機の清掃装置
【請求項１１】
請求項１〜１０のうち、何れかに記載の清掃装置を有する空気調和機。
【発明の詳細な説明】
【技術分野】
【０００１】
本発明は、エアコンディショナーや送風機、加湿器、除湿機、換気扇、あるいは空気清浄機等の空気調和機に配置されたエアフィルターの清掃装置及び、それを用いた空気調和機に関するものである。
【背景技術】
【０００２】
従来の空気調和機には、吸込口と熱交換器との間に、空気調和機本体内部への塵埃侵入を防ぐためにエアフィルターが配置されており、空気調和機の運転に伴い吸込口から空気と共に侵入する塵埃を捉える機能を有している。このため、エアフィルターには捉えた塵埃が徐々に付着するとともに、目が徐々に詰まってしまい風量を低下させてしまうので、空気調和機本体から着脱可能に構成され、定期的にエアフィルター表面を電気掃除機等で吸引したり、洗浄したりしなければならなかった。
【０００３】
これに対し、エアフィルターの上流側表面に沿って移動することができる吸引口を有する吸引ノズルと、この吸引ノズルに連結された吸引装置を空気調和機本体に設けて、吸引口からエアフィルター表面に付着した塵埃を吸引することで、エアフィルターを取り外すことなくエアフィルターの自動清掃が行える構造が考案されている（例えば、特許文献１参照）。
【０００４】
また、空気調和機本体内に、フィルターを本体キャビネットの内外に向けて、往復的に移動させるスライド手段と、フィルターの移動経路に沿ってフィルターと接触するように配置されたフィルター清掃部を設けて、フィルター清掃内部に設けられた清掃ブラシでフィルターを両側から挟みこむような構造とし、フィルターをスライドさせることによって清掃ブラシでフィルター両面を清掃することができ、且つ、フィルター清掃部内に溜まった塵埃を、フィルター清掃部を開閉させることで簡単に回収できる、という構造も考案されている（例えば、特許文献２参照）。
【０００５】
その他の清掃方式としては、清掃ブラシに永久磁石を備え、永久磁石に対応する電磁石の極性を反転させることを繰り返して、清掃ブラシに振動を与える加振手段を設けることにより、フィルターに付着した塵埃を剥離するという方式も考案されている（例えば、特許文献３参照）。
【０００６】
【特許文献１】特開２００５−１４０４０５号公
【特許文献２】特開２００４−２８４８７号公報
【特許文献３】特開２００５−００９７５６号公報
【発明の開示】
【発明が解決しようとする課題】
【０００７】
しかしながら、上記特許文献１に開示されたような従来の空気調和機においては、吸引口の開閉面積を絞ることで風量を落として、吸引圧力を高めている。このような吸引ノズルで塵埃を除去しようとすると、エアフィルター表面に浮いたような状態で乗っている綿埃等は容易に吸引できるが、吸引力のみでは、エアフィルターの網目に絡んだ塵埃や、油分を含む塵埃等を、清掃ブラシのように掻き出して剥離させることはできず、エアフィルターにこびりついた塵埃を確実に除去することは非常に困難であった。
【０００８】
また、上記特許文献２に開示されたような従来の空気調和機においては、清掃ブラシでフィルターを挟み込んでいるため、フィルター両面の塵埃を同時に清掃できるが、フィルターの表面を一定の緩やかな速度で移動する清掃ブラシでは、フィルターの表面をなでるだけで、フィルター表面に浮いたような状態で乗っている綿埃等は除去できるが、擦る効果は少なく、フィルターの網目に絡んだ塵埃や、油分を含む塵埃等を擦り取るように、完全に剥離させるまで掻き出すことはできず、フィルターにこびりついた塵埃を確実に除去することは非常に困難であった。
【０００９】
また、上記特許文献３に開示されたような従来の空気調和機においては、清掃ブラシに永久磁石を備えた取付台座と、永久磁石に対応する電磁石を備えた電磁ボックスが必要であり、空気調和機のフィルターとトップカバーの間に大きなスペースが必要とされる。また、電磁石の極性を反転させ、清掃ブラシに振動を与える加振手段のための装置も必要となる。また、電磁石による微振動では、フィルター表面に浮いたような状態で乗っている綿埃等は除去できるが、フィルターの網目に絡んだ塵埃や、油分を含む塵埃等を擦り取るように、完全に剥離させるまで掻き出すことはできず、フィルターにこびりついた塵埃を、効率よく、確実に除去することは非常に困難であった。以上のように大掛かりな装置とスペースが必要な割には、清掃効果は良くないという問題を有していた。
【００１０】
本発明は、上記従来の課題を解決するためのもので、エアフィルターに付着した塵埃を、効率よく、確実に除去でき、長期間に亘ってエアフィルターの目詰まりのない状態で使用することができる空気調和機の清掃装置及び、空気調和機を提供することを目的とする。
【課題を解決するための手段】
【００１１】
前記従来の課題を解決するために、本発明では、本体に設けられた吸込口と吹出口を結ぶ空気通路に、除塵用のエアフィルターを配置してなるエアコンディショナーや送風機、加湿器、除湿機、換気扇、あるいは空気清浄機等の空気調和機において、前記エアフィルターを清掃する清掃体を具備してあるとともに、前記清掃体を介して、前記エアフィルターに振動を与える加振手段を備えることにより、振動による剥離と清掃体による掻き出し効果が増加し、前記エアフィルターに付着した塵埃を、効率よく、確実に除去できる。
【発明の効果】
【００１２】
本発明の清掃装置及び、空気調和機は、簡単な構造の加振装置で、清掃体によりエアフィルターに振動を与え、かつ清掃体で掻き出すことができるため、エアフィルターの網目に絡んだ塵埃や、油分を含む塵埃等も、エアフィルターから完全に剥離、除去させることができる。エアフィルターの網目の塵埃が除去されることにより、長期間に亘ってエアフィルターの目詰まりのない状態で使用することができるため、空気調和機の性能も維持され、且つ、エアフィルターを取り外して塵埃の清掃を行う必要もなくなる。
【発明を実施するための最良の形態】
【００１３】
第１の発明は、本体に設けられた吸込口と吹出口を結ぶ空気通路に、除塵用のエアフィルターを配置してなる空気調和機において、前記エアフィルターを清掃する清掃体を具備してあるとともに、前記清掃体を介して、前記エアフィルターに振動を与える加振手段を備えたことにより、エアフィルターに付着した塵埃を剥離させ、清掃体で掻き出すため、効率よく、確実に除去することができる。
【００１４】
第２の発明は、第１の発明の清掃体を清掃片とロータを有する回転ロータで構成したことにより、前記回転ロータによる振動をエアフィルターに与えることにより、簡単な構造の加振装置で、前記エアフィルターに付着した塵埃を剥離させ、かつ掻き出すため、効率よく、確実に塵埃を除去することができる。
【００１５】
第３の発明は、第２の発明の回転ロータの回転中心を偏芯させたことにより、前記回転ロータを回転させると、振れながら回転するため、前記回転ロータ自身がエアフィルターへの加振手段になる。また、前記回転ロータの清掃片の先端部を前記エアフィルターに強く当てたり、弱く当てたりできるため、前記エアフィルターにより強い振動を与えることができ、前記エアフィルターに付着した塵埃を剥離させ、前記清掃片で掻き出すため、効率よく、確実に塵埃を除去することができる。
【００１６】
第4の発明は、第２又は、第３の発明の回転ロータの清掃片を、邪魔体で撓ませてエアフィルターを叩くことにより、前記エアフィルターにより多くの振動を与えることができ、前記エアフィルターに付着した塵埃を剥離させ、前記清掃片で掻き出すため、効率よく、確実に塵埃を除去することができる。
【００１７】
第５の発明は、第２〜第４の何れかの発明の回転ロータは、少なくとも一つ以上の叩き片を有しており、前記叩き片でエアフィルターを叩くことにより、前記エアフィルターにより多くの振動を与えることができ、前記エアフィルターに付着した塵埃を剥離させるため、効率よく、確実に塵埃を除去することができる。
【００１８】
第６の発明は、第２〜第５の何れかの発明の回転ロータの、回転数の切替え手段を有しており、エアフィルターの目に絡みついた塵埃を除去する場合は、前記回転数の切替え手段により、高速回転に切替えて、前記エアフィルターにより多くの振動を与えることができ、かつ清掃片が前記エアフィルターの表面に当たる回数も増加するため、確実に塵埃の除去ができる。また、前記エアフィルターに浮いたように付着した塵埃は、低速回転でも十分に除去できるため、静かな状態で清掃できる。このように、回転数を切替えて前記エアフィルターに付着した塵埃の清掃を行うことにより、効率よく、快適に、確実に塵埃を除去することができる。
【００１９】
第７の発明は、第２〜第６の何れかの発明の回転ロータの、清掃片の先端部近傍に凹凸の加工を施すことにより、前記回転ロータが回転すると前記清掃片がエアフィルターの表面に接触する際、前記清掃片の凹凸部がこするようにエアフィルターに振動を与えるため、前記エアフィルターにより多くの振動を与えることができ、前記エアフィルターに付着した塵埃を剥離させ、前記清掃片で掻き出すため、効率よく、確実に塵埃を除去することができる。
【００２０】
第８の発明は、第２〜第７の何れかの発明の回転ロータの、回転を停止させた状態で、加振手段により前記回転ロータに振動を与えるとともに、清掃片を介して、エアフィルターへ加振させるため、前記回転ロータの回転による騒音がなくなり、静かな状態で前記エアフィルターに付着した塵埃の清掃ができる。また、前記回転ロータの前記清掃片を使用できるため、新たな装置は、前記回転ロータの加振手段のみの簡単な装置で前記エアフィルターに、より多くの振動を与えることができる。さらに、前記回転ロータを回転させて前記エアフィルターの網目にこびりついた塵埃の除去と、前記回転ロータを停止させて前記エアフィルターに浮いたように付着した塵埃を除去するというように、前記エアフィルターに付着した塵埃の状況に応じて、清掃手段を切替えることができ、効率よく、快適に、確実に塵埃を除去することができる。
【００２１】
第９の発明は、第２〜第８の何れかの発明の回転ロータの、回転を停止させた状態で、加振手段により前記回転ロータに振動を与えるとともに、清掃片を介して、エアフィルターへ垂直に加振させるため、上記の第８の発明に加えて、前記エアフィルターの網目の隙間に前記清掃片の先端が出入りできるため、前記エアフィルターの網目に絡んだ塵埃や、油分を含む塵埃等を擦り取るように、完全に剥離させるまで掻き出すことができ、効率よく、快適に、確実に塵埃を除去することができる。
【００２２】
第１０の発明は、第２〜第９の何れかの発明の回転ロータにおいて、少なくとも１条以上の清掃片が、前記回転ロータの長手方向の軸の周りに、捩られて形成されているため、前記回転ロータが回転すると、前記清掃片は連続的に滑らかに、かつ均一に、エアフィルターに当たるため、音が静かで、むらが無く、効率よく、かつ確実に塵埃を除去することができる。
【００２３】
第１１の発明は請求項１〜１０の何れかの清掃装置を有しているので、効率の良いエアフィルターの除塵ができるため、前記エアフィルターの目詰まりが起こらず、常に安定した風量を確保でき、運転効率もよい、空気調和機を提供することができる。
【００２４】
以下、本発明の実施の形態について図面を参照しながら説明する。なお、この実施の形態により本発明が限定されるものではない。
【００２５】
（実施の形態１）
本発明の第１の実施の形態における空気調和機の清掃装置について、図１を用いて説明する。
図１は本発明の空気調和機本体１の要部断面図である。１は空気調和機本体、２は空気調和機本体１の前面から上面にかけて形成された吸込口、３は空気調和機本体１の下部に形成された吹出口である。吸込口２と吹出口３を結ぶ空気通路には空気中の塵埃を取り除くエアフィルター５と送風ファン６、熱交換器４が配置されている。エアフィルター５の塵埃を除去する手段として、加振手段２０を有する清掃体７が具備されている。清掃体７の後方には、加振手段２０を有しており、加振手段２０はカム１９を清掃体７の後部に取り付けられてあり、カム１９を回転させることにより清掃体７に振動を与えることができる。清掃体７が振動をしながら、エアフィルター５の表面を移動するために、エアフィルター５に付着した塵埃を、擦り落とすようにして、剥離させて、掻き取ることができる。
【００２６】
（実施の形態２）
図２は、本発明の実施の形態２における、回転ロータ８の振動をエアフィルター５に与える断面図であり、図３は、回転ロータ８の一部を断面にした正面図である。
回転ロータ８は回転軸となるロータ１０の支持溝２１に清掃片９を挿入して形成されており、清掃片９の先端部がエアフィルター５に接するように回転ロータ８は取り付けられている。
【００２７】
ロータ１０の材質及び、製造する方法について以下説明する。ロータ１０は、アルミニウム等の金属を押出し成形によって、直線状に真っ直ぐの状態に形成して、所定全長に切断されたロータ１０（図示せず）の両端を把持して捩り加工を施すことにより、ロータ１０の長手方向に支持溝２１を螺旋状に有している。ロータ１０の製造方法としては、上記の他に、捩り押出し成形によって、所定の螺旋形状を一度に形成する方法もある。又、合成樹脂であれば、射出成形によって、ロータ１０を完成させてもよい。ロータ１０の材質としては、アルミニウム等の金属、合成樹脂等適宜選択すればよい。製造方法に関しても、上記方法に拘らず、目的の形状を完成できる方法であれば問わない。又、本実施の形態では、ロータ１０を螺旋形状で説明しているが、もちろん、捩っていない状態で使用してもよいものである。
【００２８】
ロータ１０の両端には、プーリー２２、歯付プーリー２３が各々固着され、その中心部には各々軸２４を一体に有している。軸２４を回転可能に軸支する軸受２５は、ホルダー２６に保持されている。これにより、回転ロータ８は回転自在に軸支されている。歯付プーリー２３には、ベルト（図示せず）又は、ギヤ（図示せず）を介して、駆動源（図示せず）の回転が伝達できる。
【００２９】
このように構成した回転ロータ８が駆動源（図示せず）により回転すると、清掃片９がエアフィルター５に接触するたびに、エアフィルター５に振動を与えることになり、エアフィルター５に付着した塵埃を剥離させながら掻き取ることができる。
【００３０】
（実施の形態３）
図２において、ロータ中心点２７から指定の距離を離したロータ偏芯点２８を中心点にして、回転ロータ８の回転中心を偏芯させれば、回転ロータ８が駆動源（図示せず）により回転すると、ロータ１０に取り付けられた清掃片９の先端部が、フィルター５の表面に強く当たったり、弱く当たったりするため、フィルター５により大きな振動を与えることになり、エアフィルター５に付着した塵埃を容易に剥離させながら掻き取ることができる。
【００３１】
（実施の形態４）
図４は、本発明の実施の形態４における、回転ロータ８の清掃片９を邪魔体１１に撓ませて、エアフィルター５に振動を与えた断面図である。
回転ロータ８が駆動源（図示せず）により回転すると、ロータ１０に取り付けられた清掃片９の先端部が、空気調和機本体１に取り付けられた邪魔体１１に邪魔されて撓み、邪魔体１１を通りぬけた後、エアフィルター５に当たる際に大きな衝撃を与えることができる。エアフィルター５を叩くことにより、より強い振動を与えることができ、エアフィルター５に付着した塵埃を容易に剥離させながら掻き取ることができる。
【００３２】
（実施の形態５）
図５は、本発明の実施の形態５における、叩き片１２を有する回転ロータ８の断面である。
回転ロータ８は、ロータ１０、清掃片９、及び叩き片１２を有し、叩き片１２の先端を重くして、回転ロータ８が回転すると遠心力でフィルター５を叩くことにより、フィルター５により多くの振動を与えることができ、且つロータ１０に取り付けられた清掃片９で塵埃の掻き出しもできる。
また、図６は、ブレード１３に凸部１４を有する叩き片２９を取り付けた回転ロータ８である。回転ロータ８が回転すると、叩き片２９が定期的にフィルター５を叩くことにより、フィルター５により強い振動を与えることができ、且つ塵埃の掻き出しもできるため、エアフィルター５に付着した塵埃を容易に剥離させながら掻き取ることができる。
【００３３】
（実施の形態６）
図７は、本発明の実施の形態６における、回転数制御装置１５により制御された回転ロータ８の断面図である。
空気調和機本体１に設置された、回転数制御装置１５を操作することにより、回転数制御装置１５に連結した回転ロータ８の回転数を切り替えることができる。回転ロータ８の回転速度を任意に設定することが出来るため、エアフィルター５に付着した塵埃に対して、最適な清掃効果が出るようにできる。
【００３４】
（実施の形態７）
本発明の実施の形態７について、図８及び、図９を用いて説明する。
図８（A）は、回転ロータ８の断面図であり、図８（Ｂ）は、清掃片９の先端部を示す、図８（Ａ）のＸ部における拡大詳細図である。回転ロータ８の清掃片９の先端部に静電植毛を施すことにより、清掃片９に細かい凹凸１６をつけることができ、回転ロータ８が回転するたびに、清掃片９がエアフィルター５を擦るときに、エアフィルター５の網の目に清掃片９の細かい凹凸１６が引っかかり、エアフィルター５に振動を与えることができる。
また、図９にて、本実施の形態のもう一つの例について説明する。図９（A）は、回転ロータ８の断面図であり、図９（Ｂ）は、清掃片９の先端部を示す、図９（Ａ）におけるＹ部の拡大詳細図である。回転ロータ８の清掃片９を撚り線ブラシ１７を使用することにより、清掃片９の長手方向に捩られた段差１８が出来、回転ロータ８が回転するたびに、清掃片９がエアフィルター５を擦るときに、捩られた段差１８によりフィルター５に振動を与えることができる。また、清掃片９は撚り線ブラシ１７を使用しているため、腰の強い清掃片９を形成しており、エアフィルター５の表面を強く擦ることができ、フィルター５により強い振動を与えることができ、エアフィルター５に付着した塵埃を容易に剥離させながら掻き取ることができる。
【００３５】
（実施の形態８）
図１０は、本発明の実施の形態８及び、実施の形態９を示す、要部断面図である。回転を停止させた回転ロータ８に加振手段３０によって振動を与えると共に、振動している回転ロータ８を介して、エアフィルター５に振動を伝えるものである。加振手段３０には、例えば偏心機構（図示せず）を内蔵し、回転していない状態の回転ロータ８に振動を与える。回転ロータ８はエアフィルター５の表面に振動を与えながら塵埃を除去できる。
【００３６】
（実施の形態９）
本実施の形態は、実施の形態８で説明した、加振手段３０によって生じる回転ロータ８の振動方向を規制したもので、図１０に示す、矢印Ａと矢印Ｂの方向即ち、エアフィルター５の表面に対して垂直方向の往復運動によって、回転ロータ８を加振させるものである。回転ロータ８の回転を停止させた状態で、加振手段３０を運転させると、加振手段３０に連結或いは、接触している回転ロータ８はエアフィルター５に対して、垂直の方向の振動を与えることができ、エアフィルター５に付着した塵埃を容易に剥離することができる。また、エアフィルター５の網の目に、回転ロータ８に取り付けられた清掃片９の先端部が出入りするため、フィルター５に付着した塵埃を擦り落とすように除去することができる。
【００３７】
（実施の形態１０）
図２に示すように、回転ロータ８は、ロータ１０に支持溝２１を設け、この支持溝２１に清掃片９を挿入して形成されている。本実施の形態においては、ロータ８の支持溝２１を、長手方向の軸の周りに螺旋状に形成して、図３の如く、清掃片９が螺旋状に捩られた回転ロータ８を形成する。回転ロータ８が回転すると、清掃片９は連続的に滑らかに、かつ均一に、エアフィルター５の表面に当たるため、音が静かで、むらが無く、効率よく、かつ確実に塵埃を除去することができる。
【００３８】
（実施の形態１１）
上記の実施の形態１〜１０に説明した清掃装置を有するため、性能も維持され、且つ、エアフィルターを取り外して塵埃の清掃を行う必要もなくなる空気調和機を提供することができる。
【産業上の利用可能性】
【００３９】
以上のように、本発明にかかる空気調和機の清掃装置、及び空気調和機は、エアフィルター５の清掃装置として優れた性能を有し、エアコンディショナーや空気清浄機は勿論、エアフィルター５を有する機器であれば、そのエアフィルター５の自動清掃にも適用できるものである。
【図面の簡単な説明】
【００４０】
【図１】本発明の実施の形態１における空気調和機本体の要部断面図
【図２】本発明の実施の形態２、３又は１０における回転ロータ及びその周辺部を示す要部断面図
【図３】同回転ロータの一部を断面にした正面図
【図４】本発明の実施の形態４における回転ロータ及びその周辺部を示す要部断面図
【図５】本発明の実施の形態５における回転ロータ及びその周辺部を示す要部断面図
【図６】本発明の実施の形態５における回転ロータ及びその周辺部を示す部分斜視図
【図７】本発明の実施の形態６における回転ロータ及びその周辺部を示す要部断面図
【図８】（Ａ）本発明の実施の形態７における回転ロータ及びその周辺部を示す要部断面図  （Ｂ）図８（Ａ）におけるＸ部の拡大詳細斜視図
【図９】（Ａ）本発明の実施の形態７における回転ロータ及びその周辺部を示す要部断面図  （Ｂ）図９（Ａ）におけるＹ部の拡大詳細斜視図
【図１０】本発明の実施の形態９における回転ロータ及びその周辺部を示す要部断面図
【符号の説明】
【００４１】
１    空気調和機本体
２    吸込口
３    吹出口
５    エアフィルター
７    清掃体
８    回転ロータ
９    清掃片
１０  ロータ
１１  邪魔体
１２、２９  叩き片
１５  回転数制御装置
１６  凹凸
１７  撚り線
１８  段差
１９  カム
２０  加振手段
２１  支持溝
２７  ロータ中心点
２８  ロータ偏心点
３０  加振手段
【図１】
2007163110.tif 000003
【図２】
2007163110.tif 000004
【図３】
2007163110.tif 000005
【図４】
2007163110.tif 000006
【図５】
2007163110.tif 000007
【図６】
2007163110.tif 000008
【図７】
2007163110.tif 000009
【図８】
2007163110.tif 000010
【図９】
2007163110.tif 000011
【図１０】
2007163110.tif 000012